(57)【要約】【課題】遊戯の面白さを強調し、パチンコホール内を華やかにする飾り具を台車の隅部に取付けるようにして、従来のような、のぼりが倒れたり、玉箱を積み上げる毎にのぼりを差し替える手間や煩わしさをなくす。【解決手段】台車１の隅部に飾り具１５を取付ける取付け手段１４，１７を形成する。飾り具１５としてのぼりを使用し、取付け手段１４，１７を、のぼりの棒１６を抜き差し可能に取付けることができる穴に形成する。【選択図】図１
2005323792.tif 000002
【特許請求の範囲】
【請求項１】
台車の隅部に飾り具を取付けるようにしたことを特徴とする遊戯用台車。
【請求項２】
台車の隅部に、飾り具を取外し可能に取付ける取付け手段を設けたことを特徴とする遊戯用台車。
【請求項３】
台車を本体部と該本体部の前側から引き出し可能な延長部で形成し、前記本体部と延長部の隅部に飾り具を取外し可能に取付ける取付け手段を設けたことを特徴とする遊戯用台車。
【請求項４】
前記取付け手段を複数の隅部に設けた請求項２又は３記載の遊戯用台車。
【請求項５】
前記飾り具をのぼりとし、前記取付け手段を、のぼりの棒を抜き差し可能に立てることができるのぼり立て穴とした請求項２又は３又は４記載の遊戯用台車。
【請求項６】
前記台車における本体部の前後端部と延長部の前端部に、載置面より上方へ突出する突提を形成し、該突提に前記の取付け手段を設けた請求項３又は４又は５記載の遊戯用台車。
【発明の詳細な説明】
【技術分野】
【０００１】
本発明は遊戯用台車に関する。
【背景技術】
【０００２】
従来、パチンコホールにて、出玉が多くなり、その出玉を入れた箱を直接床に上積するとその箱が重く、その後の運搬が不便である。そのため台車を遊戯者の近くの床に置き、この台車上に出玉を入れた箱を積み重ねて載置し、その後の出玉の入った箱の運搬を台車で行うようにすることが行われている。また、その際に遊戯の楽しさを強調するために、出玉が入った箱の上に小さなのぼりを立てることが行われている。
【発明の開示】
【発明が解決しようとする課題】
【０００３】
前記、従来ののぼりの立て方は、箱に入った玉と玉の間にのぼり棒を差し込んで行われていることから、該のぼり棒が、安定せず、倒れやすかった。また、新たに箱を上積する時には、先に差したのぼり棒を抜いて上積し、再度その上積した箱内の玉と玉との間に差し込む必要があるので、手間を要していた。
【０００４】
そこで本発明は、台車の隅にのぼりなどを取外し可能に取付けて、前記の課題を解決する遊戯用台車を提供することを目的とするものである。
【課題を解決するための手段】
【０００５】
本発明は、パチンコの出玉を入れる箱を載置して搬送する台車において、その台車の隅部にのぼりなどの飾り具を取付けることができるようにしたことを主要な特徴とする。
【０００６】
この目的を達成するために、請求項１記載の発明は、台車の隅部に飾り具を取付けるようにしたことを特徴とする。
【０００７】
請求項２記載の発明は、台車の隅部に飾り具を取外し可能に取付ける取付け手段を設けたことを特徴とする。
【０００８】
前記のように飾り具を台車に取付けることにより、遊戯の面白さを強調し、パチンコホール内を華やかにすることができ、かつ、その取付け手段を台車の隅部に設けたので、出玉を入れた箱を台車に載せる際に取付け手段、すなわち飾り具が箱と干渉することがない。
【０００９】
請求項３記載の発明は、台車を本体部と該本体部の前側から引き出し可能な延長部で形成し、前記本体部と延長部の隅部に飾り具を取外し可能に取付ける取付け手段を設けたことを特徴とするものである。
【００１０】
本発明においては、箱を多数載置する場合に、延長部を引き出してこれに箱を載置する際にも、その箱と飾り具が干渉しない。
【００１１】
請求項４記載の発明は、請求項２又は３記載の発明において、前記取付け手段を複数の隅部に設けたものである。
【００１２】
本発明においては、飾り具を、最も目立つ隅部に選定して取付けたり、複数箇所に設けて華やかさをより強調させることができる。
【００１３】
請求項５記載の発明は、請求項２又は３記載の発明において、前記飾り具をのぼりとし、前記取付け手段を、のぼりの棒を抜き差し可能に立てることができるのぼり立て穴としたものである。
【００１４】
本発明においては、のぼりの棒をのぼり立て穴に容易に立てたり、外したりすることができる。
【００１５】
請求項６記載の発明は、請求項３又は４又は５記載の発明において、前記台車における本体部の前後端部と延長部の前端部に、載置面より上方へ突出する突提を形成し、該突提に前記の取付け手段を設けたものである。
【００１６】
本発明においては、各突提により箱の載置位置が規制され、箱とのぼりなどの飾り具との干渉を一層防止できる。
【発明の効果】
【００１７】
本発明によれば、遊戯の面白さを強調し、パチンコホール内を華やかにする飾り具を、台車に載置される出玉を入れる箱と干渉することなく安定して取付け、従来のような、のぼりが倒れたり、箱を積み重ねる毎にのぼりを差し替える手間や煩わしさをなくすことができる。
【００１８】
また、延長部を引き出してこれに箱を載置する際にも、その箱と飾り具が干渉しない。
また、取付け手段を複数設けることにより、飾り具を最も目立つ位置に選定して取付けたり、複数箇所に取付けて華やかさをより強調することができる。
【００１９】
また、飾り具をのぼりとし、取付け手段を、のぼりの棒を抜き差しできるのぼり立て穴とすることにより、のぼりの付設と取外しが容易に行える。
【００２０】
更に、台車に突提を形成して、これに取付け手段を設けることにより、取付け手段、すなわち飾り具と箱との干渉を一層防止することができる。
【発明を実施するための最良の形態】
【００２１】
本発明を実施するための最良の形態を図に示す実施例に基づいて説明する。
図において、台車１は、本体部２と延長部３とで構成されており、それぞれ樹脂で形成されている。
【００２２】
前記本体部２は、載置面２ａと、その前後部に位置して、載置面２より隆起した突提４，５が一体形成されており、玉箱６が図３に示すように載置面２ａに置かれるようになっている。
【００２３】
前記本体部２における後部側の突提５には、押し取っ手用の差し込み穴７が上方を開口して形成されており、該押し取っ手用の差し込み穴７に、押し取っ手８の支持棒８ａを図に示すように差し込むことにより、該押し取っ手８を押して台車１を移動できるようになっている。また、この台車１の不使用時には押し取っ手８を差し込み穴７から外すことにより、この台車１を複数個積み重ねて、収納時の占有空間を少なくできるようになっている。
【００２４】
前記本体部２における載置面２ａを形成する板の下面には、本体部２の中央部において前後方向（長手方向）に沿って案内レール９が形成されている。また、本体部２の下面にはキャスタ１０とローラ１０ａが設けられている。
【００２５】
本体部２の前部には延長部３が、本体部２と別体で設けられており、該延長部３のフレーム１２が前記案内レール９にスライド可能に挿入されている。該延長部３の下面にはキャスタ１１が設けられている。更に、延長部３には載置面３ａと、該載置面３ａの前部において載置面３ａより隆起した突提１３が形成されており、延長部３を前記案内レール９に沿って本体部２の底部に挿入して収納することにより、図１及び図３に示すように台車１の載置面を本体部２の載置面２ａとしたり、図２に示すように延長部３を案内レール９に沿って本体部２より引き出すことにより、台車１の載置面を本体部２の載置面２ａと延長部３の載置面３ａとで増大するようになっている。また、延長部３の収納時には、その突提１３が本体部２の前側突提４に当接するようになっている。
【００２６】
前記本体部２における後側突提５の両側部、すなわち、台車１の後側両隅部には、取付け手段を構成するのぼり立て穴１４，１４が形成されている。該のぼり立て穴１４，１４は上方が開口した有底穴で形成され、かつ、後述するのぼり１５の棒１６の直径より若干大径で、棒１６を所定量差し込むことができる深さに形成して、のぼり１５を容易に抜き差しでき、かつ、立てた状態を安定して保持できるように形成されている。
【００２７】
前記延長部３の突提１３の両側部、すなわち、台車１の前側両隅部には、取付け手段を構成するのぼり立て穴１７，１７が形成されており、該のぼり立て穴１７，１７は前記のぼり立て穴１４，１４と同様の形状に形成されている。
【００２８】
飾り具であるのぼり１５は、所望の文字などを記載した旗を棒１６に取付けたものである。
【００２９】
次に使用状態について説明する。
使用に際しては、図１に示すように、延長部３を本体部２に収納した状態で、その台車１を遊戯者の近くの床面に置く。このとき、台車１の本体部２と延長部３に形成したのぼり立て穴１４，１４，１７，１７の全部または所望の穴にのぼり１５の棒１６を差して立てる。このように、のぼり１５を立てることにより、パチンコホール内での遊戯の面白さや華やかさを強調することができる。
【００３０】
そして、出玉を入れる玉箱６を、本体部２の載置面２ａの上に、玉箱６の両側の取っ手６ａが本体部２の長手方向に平行するように、すなわち、長方形の玉箱６を、その長手方向が本体部２の前後方向と直交する方向に向けて載置する。図の実施例では、図３に示すように、２個の玉箱６，６が並列状態に載置されるようになっている。このとき、のぼり立て穴１４，１４が本体部２の隅部に形成されて、この穴にのぼり１５が立てられているため、玉箱６とのぼり１５とが干渉しない。更に、本体部２における載置面２ａの前後には突提４，５が形成されているため、この突提４，５により本体部２への玉箱６，６の載置位置が規制され、この載置した玉箱６，６が、前記のように立てられたのぼり１５に干渉することを一層防止することができる。
【００３１】
そして、出玉が多くなった場合には、前記の玉箱６上に更に別の玉箱６を積み上げる。
更に、出玉が多くなった場合には、延長部３を本体部２より図２に示すように引き出し、この引き出した延長部３上に玉箱６を載置する。このとき、延長部３を引き出すと、その突提１３に形成されたのぼり立て穴１７，１７に立てられたのぼり１５も図２に示すように前方へ移動し、延長部３に載置された玉箱６がのぼり１５と干渉しない。また、延長部３に載置される玉箱６も突提１３によって載置位置が規制されるため、その玉箱６がのぼり１４と干渉することが一層防止される。
【００３２】
なお、前記実施例は台車１を本体部２と延長部３とで形成したが、前記の延長部３を設けることなく、本体部２のみで台車を形成し、前記の突提４，５に前記のようなのぼり立て穴１４，１４，１７，１７を形成してもよい。
【００３３】
また、前記実施例では取付け手段であるのぼり立て穴を４個形成したが、この穴は１個でもよく、２個以上でもよく、必要数形成するものである。
【００３４】
更に、前記取付け手段は、前記のようなのぼり立て穴の他にクリップなどののぼり１５を取外し可能に取付けることができる手段であってもよい。
【００３５】
更に、前記のようなのぼり１５の代わりにパチンコホール内を華やかにする他の飾り具であってもよい。
【図面の簡単な説明】
【００３６】
【図１】本発明の実施例を示す斜視図。
【図２】図１の状態から延長部を引き出した状態を示す斜視図。
【図３】図１の側面図で箱を載置した状態を示す。
【図４】本発明の実施例におけるのぼり立て穴を示す拡大断面図。
【符号の説明】
【００３７】
１      台車
２      本体部
３      延長部
４，５，１３  突提
１４，１７    取付け手段であるのぼり立て穴
１５    飾り具であるのぼり
１６    棒      
【図１】
2005323792.tif 000003
【図２】
2005323792.tif 000004
【図３】
2005323792.tif 000005
【図４】
2005323792.tif 000006